(57)【要約】  プラズマを用い成膜位置において基材上に薄膜を形成する成膜室と、前記プラズマの異常放電を検出する異常放電検出部と、前記異常放電が検出されたときのプラズマである異常時プラズマ、又は、前記異常放電が検出されたときに薄膜が形成された基材面である異常時基材面を撮像する撮像装置と、前記撮像装置によって撮像された画像を記憶する記憶部と、を備えるように成膜装置を構成する。
2016046886.tif 000002
【特許請求の範囲】
【請求項１】
プラズマを用い成膜位置において基材上に薄膜を形成する成膜室と、
前記プラズマの異常放電を検出する異常放電検出部と、
前記異常放電が検出されたときのプラズマである異常時プラズマ、又は、前記異常放電が検出されたときに薄膜が形成された基材面である異常時基材面を撮像する撮像装置と、
前記撮像装置によって撮像された画像を記憶する記憶部と、
を備えることを特徴とする成膜装置。
【請求項２】
請求項１に記載の成膜装置であって、
前記撮像装置は、前記異常放電が検出される前から前記異常放電が検出された後に亘って連続的に撮像し、
前記記憶部は、前記撮像された画像がプラズマの場合は、前記連続的に撮像した画像のうち、前記異常放電が検出された時刻の前後の第１の時間におけるプラズマ画像を残すとともに、前記第１の時間以外の時間におけるプラズマ画像を削除し、前記撮像された画像が基材面の場合は、前記連続的に撮像した基材面画像のうち、前記異常時基材面の前後の第２の範囲の基材面画像を残すとともに、前記第２の範囲以外の基材面画像を削除することを特徴とする成膜装置。
【請求項３】
請求項１に記載の成膜装置であって、
前記基材は、搬送されながら薄膜形成されるものであり、
前記記憶部は、前記異常放電が検出されたときに、前記異常時基材面の当該基材における位置を示す異常位置情報を記憶し、
前記撮像装置は、前記異常時基材面を撮像する基材面撮像装置を含み、
前記基材面撮像装置は、前記成膜位置とは別の第１の位置で、前記異常位置情報に基づき、前記異常時基材面を撮像することを特徴とする成膜装置。
【請求項４】
請求項１に記載の成膜装置であって、
前記基材は、搬送されながら薄膜形成されるものであり、
前記記憶部は、前記異常放電が検出されたときに、前記異常時基材面の当該基材における位置を示す異常位置情報を記憶し、
前記異常位置情報に基づき、前記成膜位置とは別の第２の位置で、前記異常放電を検出したことを示す異常検出情報を前記基材上に付加する異常検出情報付加装置を備えることを特徴とする成膜装置。
【請求項５】
請求項４に記載の成膜装置であって、
前記撮像装置は、前記異常時基材面を撮像する基材面撮像装置を含み、
前記基材面撮像装置は、前記基材上に付加された前記異常検出情報に基づき、前記成膜位置とは別の第１の位置で、前記異常時基材面を撮像することを特徴とする成膜装置。
【請求項６】
請求項１に記載の成膜装置であって、
前記撮像装置は、前記異常時プラズマを撮像するプラズマ撮像装置を含み、
前記異常放電検出部は、前記異常時プラズマの状態を示す異常値情報を生成し、
前記記憶部は、前記異常値情報と、前記異常時プラズマの画像とを、対応付けて記憶することを特徴とする成膜装置。
【請求項７】
請求項４に記載の成膜装置であって、
成膜処理前のテープ状の基材を前記成膜室に供給するとともに、成膜処理後のテープ状の基材を前記成膜室から回収する基材収容室が、前記成膜室に隣接して設けられ、
前記異常検出情報付加装置は、前記基材収容室内に設けられることを特徴とする成膜装置。
【請求項８】
請求項７に記載の成膜装置であって、
前記撮像装置は、前記異常時基材面を撮像する基材面撮像装置を含み、
前記基材面撮像装置は、前記基材収容室内に設けられることを特徴とする成膜装置。
【請求項９】
請求項１ないし請求項８のいずれかに記載の成膜装置であって、
前記撮像装置は、前記異常時プラズマを撮像するプラズマ撮像装置と、前記異常時基材面を撮像する基材面撮像装置の両方を含み、
前記記憶部は、同一の異常放電に対して撮像された前記異常時プラズマの画像と前記異常時基材面の画像とを、対応付けて記憶することを特徴とする成膜装置。
【請求項１０】
請求項９に記載の成膜装置であって、
前記撮像装置によって撮像された画像を表示する表示部を備え、
前記表示部は、前記記憶部が記憶している前記異常時プラズマの画像と前記異常時基材面の画像とを、対応付けて表示することを特徴とする成膜装置。
【請求項１１】
プラズマを用いて基材上に薄膜を形成する薄膜形成ステップと、
前記プラズマの異常放電を検出する異常放電検出ステップと、
前記異常放電が検出されたときのプラズマである異常時プラズマ、又は、前記異常放電が検出されたときに薄膜が形成された基材面である異常時基材面を撮像する撮像ステップと、
前記撮像ステップで撮像した画像を記憶する記憶ステップと、
前記記憶ステップで記憶した画像を表示する表示ステップと、
を備えることを特徴とする成膜方法。
【請求項１２】
請求項１１に記載の成膜方法であって、
前記撮像ステップは、前記異常時プラズマを撮像するプラズマ撮像ステップと、前記異常時基材面を撮像する基材面撮像ステップの両方を含み、
前記記憶ステップでは、同一の異常放電に対して撮像された前記異常時プラズマの画像と前記異常時基材面の画像とを、対応付けて記憶し、
前記表示ステップでは、前記記憶ステップで記憶した前記異常時プラズマの画像と前記異常時基材面の画像とを、対応付けて表示することを特徴とする成膜方法。
【請求項１３】
請求項１１に記載の成膜方法であって、
前記異常時プラズマの状態を示す異常値情報を取得する異常値情報取得ステップを備え、
前記撮像ステップは、前記異常時プラズマを撮像するプラズマ撮像ステップを含み、
前記記憶ステップでは、前記異常値情報と前記異常時プラズマの画像とを、対応付けて記憶し、
前記表示ステップでは、前記記憶ステップで記憶した前記異常値情報と前記異常時プラズマの画像とを、対応付けて表示することを特徴とする成膜方法。
【発明の詳細な説明】
【技術分野】
【０００１】
本発明は、プラズマを用いて基材上に薄膜を形成する成膜装置や成膜方法に関するものである。
【背景技術】
【０００２】
例えば、基材の表面に薄膜を形成する方法として、蒸着技術を用いることがある。蒸着技術は、物理蒸着（ＰＶＤ：Physical Vapor Deposition）と化学蒸着（ＣＶＤ：Chemical Vapor Deposition）に大別される。例えば、シリコン基板やガラス基板などの基材に対して薄膜を形成して半導体基板を製造する場合などは、基材に対してプラズマ処理を行うプラズマＣＶＤ法や、基材に対してスパッタリング処理を行うスパッタリング法が用いられる。【０００３】
プラズマＣＶＤ法においては、所望の原料ガスをプラズマ状態にするために、直流、高周波などの電源が用いられる。また、スパッタリング法においても、ターゲット物質を弾き出すためのイオンを生成するために、不活性ガスをプラズマ状態にする。そのため、直流、高周波などの電源が用いられる。プラズマを生成する場合、必ずしも理想のプラズマが生成されるとは限らず、電極の設置位置や状態、更には成膜室内でのチリやホコリの影響等により、プラズマの異常放電が発生することがある。【０００４】
このようなプラズマ異常放電により成膜処理に悪影響が出ないように、供給電源を制御（供給低減や停止）する処理を施すことで、プラズマ異常放電を緩和又は阻止する技術がある（先行技術文献１）。しかし、プラズマ異常放電が生じるような場合に、必ず緩和又は阻止する必要があるのか否かを知るためには、様々な実測や経験が必要である。現状は、プラズマ異常放電のレベルによっては緩和又は阻止が必ず必要とは言えず、また、プラズマ異常放電のレベルによって成膜にどのような影響が生じるのかを考慮することはできていない。【０００５】
半導体基板以外の基材、例えば、偏光フィルムや位相差フィルムなどの光学フィルムを含む機能性フィルムにおいても、基材上に薄膜を形成する処理を行うために、プラズマＣＶＤ法やスパッタリング法が用いられる場合がある。機能性フィルムの場合、機能性フィルムとしての性能も必要であるが、タッチパネルや液晶ディスプレイ（ＬＣＤ：Liquid Crystal Display）などの表面に貼付して使用したりする場合は、視認性がより重要視され、黒点やシミなど視認性を阻害するような部位の発生を防止しなくてはならない。【０００６】
従来、機能性フィルムは、切断シートの形で成膜する場合もあるが、ロール上の原材料（樹脂フィルム）を逆側で巻き取り搬送しながら、巻き取り途中で、順次、成膜処理を施すような製造方法や成膜装置が採用されている場合もある。この場合、成膜工程では視認性の確認ができないため、成膜処理が完了した後、巻き取ったロール材を別の検査工程に移動し、黒点やシミなどの視認性不具合有無の検査を行っている。【０００７】
このような黒点やシミなどの視認性不具合の原因は様々である。例えば、原材料の段階で既に存在している場合や、成膜工程に流すために原材料を別ロールに巻き直す際に、傷やゴミやチリが付着する場合など、成膜工程以外の処理工程での扱いがその原因となる場合もある。また、成膜処理工程において、成膜室内のゴミやチリが付着する場合もあれば、電極の設置位置や状態の影響、更には成膜室内でのチリやホコリの影響でプラズマの異常放電が発生し、これにより、黒点やシミなどの視認性不具合が発生することもある。【０００８】
しかし、従来は、成膜処理時にどの様なプラズマの異常放電が発生しているのか、そしてその異常放電が成膜処理にどの様に影響しているのか、その因果関係を確認する手法はとられていない。
【先行技術文献】
【特許文献】
【０００９】
【特許文献１】特開２００１−１０２１９６公報
【発明の概要】
【発明が解決しようとする課題】
【００１０】
プラズマを用いて基材に薄膜を形成する際の不具合を減らすためには、不具合とその発生要因との因果関係を知る必要がある。特に、視認性不具合が、成膜工程における不具合発生要因の一つと考えられるプラズマの異常放電と、どの様な因果関係にあるのかを把握する必要がある。【００１１】
本発明は、上記実情に鑑みて為されたものであり、基材に発生する不具合の状態又はプラズマ異常放電の状態を、容易に把握できるようにすることを目的とする。
【課題を解決するための手段】
【００１２】
上記課題を解決するための、本願発明の成膜装置の代表的な構成は、次のとおりである。すなわち、
プラズマを用い成膜位置において基材上に薄膜を形成する成膜室と、
前記プラズマの異常放電を検出する異常放電検出部と、
前記異常放電が検出されたときのプラズマである異常時プラズマ、又は、前記異常放電が検出されたときに薄膜が形成された基材面である異常時基材面を撮像する撮像装置と、
前記撮像装置によって撮像された画像を記憶する記憶部と、
を備えることを特徴とする成膜装置。【００１３】
また、本願発明の成膜方法の代表的な構成は、次のとおりである。すなわち、
プラズマを用いて基材上に薄膜を形成する薄膜形成ステップと、
前記プラズマの異常放電を検出する異常放電検出ステップと、
前記異常放電が検出されたときのプラズマである異常時プラズマ、又は、前記異常放電が検出されたときに薄膜が形成された基材面である異常時基材面を撮像する撮像ステップと、
前記撮像ステップで撮像した画像を記憶する記憶ステップと、
前記記憶ステップで記憶した画像を表示する表示ステップと、
を備えることを特徴とする成膜方法。
【発明の効果】
【００１４】
上記構成によれば、基材に発生する不具合の状態又はプラズマ異常放電の状態を、容易に把握できる。
【図面の簡単な説明】
【００１５】
【図１】本発明の実施形態に係る成膜装置の構成図である。
【図２】本発明の実施形態に係る成膜方法を示す図である。
【図３】本発明の実施形態に係る基材モニタカメラが、異常時基材面を撮像するタイミングを示す図である。
【発明を実施するための形態】
【００１６】
以下、本発明の実施形態について説明する。
（１）成膜装置の構成
図１は、本発明の実施形態に係る成膜装置の構成図であり、成膜室１１の縦断面図（図１のＸＺ断面図）を示す。図１に示すように、本実施形態の成膜装置１０は、成膜室１１と、基材収容室１５と、制御部２１と、記憶部２２と、表示部２３と、電源部２４とを備える。本実施形態の例では、成膜室１１において、テープ状の基材１９に対し、スパッタリング法を用いた成膜処理が行われる。
【００１７】
成膜室１１内には、電極１２と、処理用ローラ１６ｃの一部と、プラズマモニタカメラ２６とが設けられる。電極１２は、直方体形状であり、ターゲットであるカソードを構成する。処理用ローラ１６ｃは、図１におけるＸＺ断面が円形の円筒形状であり、アノードを構成する。成膜室１１は、直方体形状である。なお、図１におけるＹ方向は、ＸＺ面と垂直な方向（図１の紙面を表から裏へ貫く方向）である。
【００１８】
成膜室１１内を低圧にし、不活性ガス（例えばアルゴンガス）を成膜室１１内に導入しながら、電極１２と処理用ローラ１６ｃとの間に、電源部２４から電力を供給する。これにより、アルゴンガスがイオンと電子に分離し、成膜室１１内にプラズマ１４が発生する。このプラズマ１４を用いて、基材１９の表面上に薄膜を形成する成膜処理を行う。詳しくは、イオン化したアルゴンをターゲット（電極１２）に衝突させ、弾き飛ばされたターゲット物質を、成膜位置Ｐにおいて基材１９上に成膜させる。成膜位置Ｐは、処理用ローラ１６ｃが成膜室１１内に露出した位置であり、基材１９が成膜処理される位置である。
【００１９】
プラズマモニタカメラ２６は、プラズマ１４を撮像、特にプラズマ１４が異常放電するときに、異常放電１４ａを撮像する撮像装置である。図１に示す異常放電１４ａは、プラズマ１４とターゲット（電極１２）との間で発生したアーキングである。この異常放電１４ａにより、パーティクルが大量に発生し、視認性不具合の原因となることがある。
【００２０】
プラズマモニタカメラ２６は、制御部２１に信号接続され、制御部２１からの指示に基づき、プラズマ１４（異常放電１４ａを含む）を撮像し、撮像した画像（プラズマ画像）を制御部２１へ送信する。例えば、プラズマモニタカメラ２６は、プラズマ１４を撮像する際の時間帯（タイミング）や撮像速度（１秒間あたりの撮像枚数）を、制御部２１から指示されて、この指示に基づき、プラズマ１４を撮像する。プラズマ１４（異常放電１４ａを含む）の撮像方法については後述する。
【００２１】
基材収容室１５は、直方体形状であり、仕切り壁１３を介して、成膜室１１に隣接して設けられる。基材収容室１５内には、成膜処理前の基材１９を成膜室１１内へ供給し、成膜処理後の基材１９を成膜室１１内から回収するローラ１６と、基材モニタカメラ２７と、マーキング装置２８とが設けられる。本実施形態の例では、基材１９は、テープ状のＰＥＴ（ポリエチレンテレフタレート）樹脂を材料とするフィルム（膜）である。この基材１９上に、所定の材料が成膜されて、例えば、反射防止フィルムやＩＴＯ（Indium Tin Oxide）フィルム等の、ある種の機能を有する公知の機能性フィルムが生成される。
【００２２】
ローラ１６は、供給用ローラ１６ａと、補助ローラ１６ｂと、処理用ローラ１６ｃと、補助ローラ１６ｄと、回収用ローラ１６ｅとを含むように構成される。これらのローラ１６は、図１におけるＸＺ断面が円形の円筒形状である。供給用ローラ１６ａは、成膜処理前のテープ状の基材１９を巻いており、図中の矢印の方向に回転し、処理用ローラ１６ｃへ基材１９を供給する。処理用ローラ１６ｃは、前述したように、その一部を成膜室１１内に露出しており、図中の矢印の方向に回転し、露出した位置（成膜位置Ｐ）にある基材１９を成膜処理させる。回収用ローラ１６ｅは、図中の矢印の方向に回転し、処理用ローラ１６ｃで成膜処理された基材１９を巻き取り回収する。補助ローラ１６ｂ，１６ｄは、処理用ローラ１６ｃと逆方向に回転し、基材１９を処理用ローラ１６ｃに密着させる。
【００２３】
回収用ローラ１６ｅは、回転駆動装置（不図示）と接続され、回転駆動装置により、回転される。回転駆動装置は、制御部２１に信号接続され、制御部２１からの指示に基づき、回収用ローラ１６ｅを回転させるとともに回転速度を所定値に保つ。
【００２４】
基材モニタカメラ２７は、プラズマ１４が異常放電したときに成膜位置Ｐにあった基材１９を、成膜処理後において、成膜位置Ｐとは別の位置で撮像する撮像装置である。基材モニタカメラ２７は、制御部２１に信号接続され、制御部２１からの指示に基づき、基材１９を撮像し、撮像した画像（基材面画像）を制御部２１へ送信する。例えば、基材モニタカメラ２７は、基材１９を撮像する際の時間帯（タイミング）や撮像速度（１秒間あたりの撮像枚数）を、制御部２１から指示されて、この指示に基づき、基材１９を撮像する。プラズマ１４が異常放電したときの基材１９の撮像方法については後述する。
【００２５】
マーキング装置２８は、プラズマ１４が異常放電したときに成膜位置Ｐにあった基材１９の位置を、成膜処理後において、成膜位置Ｐとは別の位置でマーキングする。つまり、マーキング装置２８は、プラズマ１４が異常放電したときに成膜位置Ｐにあった基材１９の部分（例えば基材１９の表面又は裏面の端部）に対して、異常検出したことを示す異常検出情報を付加する異常検出情報付加装置である。マーキング装置２８は、制御部２１に信号接続され、制御部２１からの指示に基づき、基材１９をマーキングする。プラズマ１４が異常放電したときのマーキング方法については後述する。
【００２６】
マーキング装置２８は、例えば、レーザ光２８ａを用いて基材１９に穿孔を形成する公知のレーザ加工装置で構成される。もちろん、マーキング装置２８を、レーザ加工装置以外のマーキング手段で構成してもよい。
【００２７】
また、基材収容室１５には、基材収容室１５内に不活性ガス（例えばアルゴンガス）を導入するガス導入口１７と、基材収容室１５内のガスを排出する排気口１８とが設けられる。ガス導入口１７から導入されたアルゴンガスは、仕切り壁１３と処理用ローラ１６ｃとの間の隙間から、成膜室１１内へ供給され、成膜処理に使用される。成膜処理に使用された後、アルゴンガスは、仕切り壁１３と処理用ローラ１６ｃとの間の隙間から、基材収容室１５内に戻り、排気口１８から排出される。
【００２８】
ガス導入口１７は、ガス供給管（不図示）を介して、ガス供給源（不図示）に接続される。ガス供給管には、流量を所定値に制御する流量制御装置（ＭＦＣ：マスフローコントローラ）が設けられる。流量制御装置は、制御部２１に信号接続され、制御部２１からの指示に基づき、ガス供給管を流れるガスの流量、つまり基材収容室１５に導入されるガスの流量を、所定値に制御する。
【００２９】
排気口１８は、排気管（不図示）を介して、真空ポンプで構成される排気装置（不図示）に接続される。排気管には、基材収容室１５内の圧力を所定値に制御する圧力制御装置（ＡＰＣ：自動圧力調整弁）が設けられる。圧力制御装置は、制御部２１に信号接続され、制御部２１からの指示に基づき、基材収容室１５内の圧力、つまり成膜室１１内の圧力を、所定値に制御する。
【００３０】
なお、ガス導入口１７と排気口１８を、基材収容室１５に設けるのではなく、成膜室１１に設けるように構成してもよい。また、ガス導入口１７と排気口１８のいずれか一方を、基材収容室１５に設け、他方を、成膜室１１に設けるように構成してもよい。
【００３１】
制御部２１は、記憶部２２、表示部２３、電源部２４、プラズマモニタカメラ２６、基材モニタカメラ２７、マーキング装置２８等と信号接続され、成膜装置１０が行う各種処理を制御する。また、制御部２１は、プラズマモニタカメラ２６や基材モニタカメラ２７から、プラズマ画像情報や基材面画像情報を受信し、記憶部２２へ記憶させる。
【００３２】
具体的には、制御部２１は、例えば、基材収容室１５に導入するアルゴンガスの流量が所定値となるよう、また、成膜室１１内の圧力が所定値となるよう制御する。また、制御部２１は、成膜室１１内にプラズマ１４を発生させるよう、つまり、電極１２と処理用ローラ１６ｃ間に印加する電圧が所定値となるよう、電源部２４を制御する。そして、制御部２１は、回収用ローラ１６ｅを所定の一定速度で回転させ、基材１９の表面上に薄膜を形成する成膜処理を行うよう制御する。
【００３３】
また、制御部２１は、プラズマ１４の異常放電１４ａを検出する異常放電検出部２１ａを備える。異常放電検出部２１ａは、直流スパッタリング法の場合は、例えば、電源部２４から出力される電力信号の大きさ（例えば電圧値）を示す電源部状態信号を、電源部２４から受信し、上記電力信号の大きさに基づき、異常放電１４ａを検出する。高周波スパッタリング法の場合は、異常放電検出部２１ａは、例えば、電源部２４から出力される高周波電力信号に含まれる反射波の大きさを示す電源部状態信号を、電源部２４から受信し、上記反射波の大きさに基づき、異常放電１４ａを検出する。
【００３４】
このように、本実施形態では、異常放電１４ａの検出とは、異常放電と密接に関係する信号の大きさ（上記電力信号の大きさや上記反射波の大きさ等）が、所定値以上で検出されることをいう。
【００３５】
制御部２１は、異常放電検出部２１ａで異常放電１４ａを検出すると、異常放電１４ａを検出したときに薄膜が形成された基材面（異常時基材面）の、基材１９全体における位置を示す異常位置情報２２ａを、記憶部２２に記憶させる。異常位置情報２２ａは、例えば、テープ状の基材１９の先頭位置からの距離や、供給用ローラ１６ａの回転開始から異常時基材面が成膜位置Ｐに搬送されるまでの搬送時間（つまり、基材１９の搬送を開始した後、異常放電１４ａを検出するまでの時間）により、表すことができる。基材１９の搬送速度は一定なので、搬送時間は距離を示す。
【００３６】
また、制御部２１は、異常放電検出部２１ａで、異常放電１４ａが検出されたときのプラズマ１４である異常時プラズマの状態を示す異常値情報２２ｂを生成し、異常値情報２２ｂと、プラズマモニタカメラ２６によって撮像された異常時プラズマの画像情報である異常プラズマ画像情報２２ｃとを対応付けて、記憶部２２に記憶させる。異常値情報２２ｂは、例えば、異常放電検出部２１ａで検出した電源部状態信号の大きさであり、例えば、電圧値等の電力信号の大きさや、反射波の大きさである。
【００３７】
また、制御部２１は、プラズマモニタカメラ２６に対し、異常時プラズマを撮像する際の、タイミングや撮像速度を指示する。また、制御部２１は、基材モニタカメラ２７に対し、異常放電１４ａを検出したときに薄膜が形成された基材１９の面である異常時基材面を撮像する際の、タイミングや撮像速度を指示する。
【００３８】
また、制御部２１は、異常放電検出部２１ａで異常放電１４ａを検出した後に、上述の異常位置情報２２ａに基づき、成膜位置Ｐとは別の位置で、基材モニタカメラ２７に異常時基材面を撮像させる。そして、制御部２１は、異常位置情報２２ａと異常時基材面の画像である異常基材面画像情報２２ｄとを対応付けて、記憶部２２に記憶させる。さらに、制御部２１は、同一の異常放電１４ａに対して、異常位置情報２２ａと、異常プラズマ画像情報２２ｃと、異常基材面画像情報２２ｄとを対応付けて、記憶部２２に記憶させる。
【００３９】
また、制御部２１は、マーキング装置２８に対し、異常放電１４ａを検出したときに基材１９をマーキングする際の、タイミングやマーキング位置を指示する。マーキング位置は、上述の異常位置情報２２ａに基づき決定されるが、異常位置情報２２ａが示す位置と同じ位置であってもよい。
【００４０】
こうして、制御部２１は、異常放電１４ａを検出すると、該異常放電１４ａを検出したときに薄膜が形成された基材面の位置を示す異常位置情報２２ａと、該異常放電１４ａを検出したときのプラズマ１４の状態を示す異常値情報２２ｂと、該異常放電１４ａを検出したときのプラズマ１４（異常時プラズマ）の画像である異常プラズマ画像情報２２ｃと、該異常放電１４ａを検出したときに薄膜が形成された基材１９の基材面（異常時基材面）の画像である異常基材面画像情報２２ｄとを対応付けて、記憶部２２に記憶させる。
【００４１】
例えば、制御部２１は、第１の異常放電１４ａを検出すると、第１の異常放電１４ａを検出したときに薄膜が形成された基材面の位置を示す第１の異常位置情報２２ａと、第１の異常放電１４ａを検出したときのプラズマ１４の状態を示す第１の異常値情報２２ｂと、第１の異常放電１４ａを検出したときのプラズマ１４（異常時プラズマ）の画像である第１の異常プラズマ画像情報２２ｃと、第１の異常放電１４ａを検出したときに薄膜が形成された基材１９の基材面（異常時基材面）の画像である第１の異常基材面画像情報２２ｄとを対応付けて、記憶部２２に記憶させる。
【００４２】
同様に、制御部２１は、第２の異常放電１４ａを検出すると、上記第１の異常位置情報２２ａと第１の異常値情報２２ｂと第１の異常プラズマ画像情報２２ｃと第１の異常基材面画像情報２２ｄとを保存したまま、さらに、第２の異常位置情報２２ａと、第２の異常値情報２２ｂと、第２の異常プラズマ画像情報２２ｃと、第２の異常基材面画像情報２２ｄとを対応付けて、記憶部２２に記憶させる。
【００４３】
そして、制御部２１は、対応付けて記憶部２２に記憶させた、異常位置情報２２ａと異常値情報２２ｂと異常プラズマ画像情報２２ｃと異常基材面画像情報２２ｄから、任意の情報を組み合わせて、表示部２３に表示させる。例えば、第１の異常値情報２２ｂと第１の異常プラズマ画像情報２２ｃとの組み合わせを表示させる。あるいは、第１の異常プラズマ画像情報２２ｃと第１の異常基材面画像情報２２ｄとの組み合わせを表示させる。
【００４４】
制御部２１は、ハードウエア構成としては、ＣＰＵ（Central Processing Unit）と制御部２１の動作プログラム等を格納するメモリとを備えており、ＣＰＵは、この動作プログラムに従って動作する。
【００４５】
記憶部２２は、制御部２１の指示に基づき、上述した異常位置情報２２ａと、異常値情報２２ｂと、異常プラズマ画像情報２２ｃと、異常基材面画像情報２２ｄを記憶する。
【００４６】
表示部２３は、制御部２１の指示に基づき、記憶部２２に記憶された、異常位置情報２２ａと、異常値情報２２ｂと、異常プラズマ画像情報２２ｃと、異常基材面画像情報２２ｄを表示する。
【００４７】
電源部２４は、制御部２１の指示に基づき、電力供給線２５ａ，２５ｂにより、電極１２と処理用ローラ１６ｃ間に、電力を供給する。例えば、直流スパッタリング法の場合は、電極１２と処理用ローラ１６ｃ間に、直流電圧を印加する。高周波スパッタリング法の場合は、電極１２と処理用ローラ１６ｃ間に、高周波電圧を印加する。また、電源部２４は、上述した電源部状態信号を、異常放電検出部２１ａへ出力する。
【００４８】
（２）成膜方法
次に、本実施形態の成膜方法を、図２と図３を用いて説明する。図２は、本発明の実施形態に係る成膜方法を示す図であり、以降において、成膜方法の各工程について説明する。この成膜方法は、上述した成膜装置１０を用いて、例えば、機能性フィルム製造工程の一工程として実施される。なお、以下の説明において、成膜装置１０を構成する各部の動作は、制御部２１により制御される。
【００４９】
図３は、本発明の実施形態に係る基材モニタカメラが、異常時基材面を撮像するタイミングを示す図である。図３（ａ）は、成膜位置における基材１９の位置Ａ，Ｂ，Ｃを示す。基材１９中の矢印は、基材１９の搬送方向である。図３（ｂ）は、基材１９が、成膜位置からｔｄ時間搬送され、基材撮像位置に到達したときの上記位置Ａ，Ｂ，Ｃを示す。例えば、基材１９が、成膜位置の位置Ａにあるときの時刻をｔ１１とすると、基材撮像位置の位置Ａにあるときの時刻は（ｔ１１＋ｔｄ）となる。同様に、成膜位置の位置Ｂの時刻をｔ１２とすると、基材撮像位置の位置Ｂの時刻は（ｔ１２＋ｔｄ）となり、成膜位置の位置Ｃの時刻をｔ１３とすると、基材撮像位置の位置Ｃの時刻は（ｔ１３＋ｔｄ）となる。
【００５０】
（ガス導入工程（ステップＳ１））
まず、図２に示すように、ガス導入口１７から基材収容室１５へアルゴンガスを導入しつつ、排気口１８から排気する。このとき、アルゴンガスの導入量が所定の流量となり、基材収容室１５内の圧力（つまり成膜室１１内の圧力）が所定の圧力（大気圧よりも低い圧力）となるように制御する。
【００５１】
（プラズマ生成工程（ステップＳ２））
成膜室１１内の圧力が所定の圧力となった後、電源部２４から電極１２と処理用ローラ１６ｃ間に電圧を印加し、成膜室１１内にプラズマ１４を生成する。
【００５２】
（搬送・成膜工程（ステップＳ３））
プラズマ１４を生成した後、回収用ローラ１６ｅを駆動して、基材１９の搬送を開始する。基材１９は、供給用ローラ１６ａから処理用ローラ１６ｃを経由して、回収用ローラ１６ｅへ搬送され巻き取られる。こうして、成膜室１１内の成膜位置Ｐにおいて、搬送中の基材１９の表面上に、連続して薄膜が形成される。
【００５３】
（撮像・画像情報記憶工程（ステップＳ４））
このとき、搬送・成膜工程Ｓ３と併行して、基材１９の搬送中において、プラズマ１４と基材１９の表面である基材面とが、それぞれ連続して撮像される。そして、それぞれの画像情報が、連続して制御部２１へ送信され、制御部２１により連続して記憶部２２に記憶される。このとき、プラズマ１４の画像情報であるプラズマ画像情報は、そのプラズマ１４を撮像したときに成膜位置Ｐに存在した基材１９の基材面の画像情報である基材面画像情報、及びそのプラズマ１４を撮像したときに成膜位置Ｐに存在した基材１９の位置情報と対応付けられて、記憶部２２に記憶される。
【００５４】
例えば、基材１９が成膜位置Ｐから基材モニタカメラ２７の撮像位置まで搬送されるのにｔｄ時間を要するとすると、時刻ｔ０において撮像したプラズマ画像情報と、時刻（ｔ０＋ｔｄ）において撮像した基材面画像情報とが、基材１９の位置情報（テープ状の基材１９の先頭位置からの距離や搬送時間）と対応付けられて、記憶部２２に記憶される。
【００５５】
記憶されたプラズマ画像情報と基材面画像情報と基材１９の位置情報は、プラズマ１４の異常放電１４ａが検出されなかった場合は、所定時間後に、記憶部２２から削除される。情報の削除とは、当該情報を、制御部２１が記憶部２２から読み出しできない状態にすることであり、その情報が、記憶部２２内に物理的に残っている場合も含む。
【００５６】
（異常放電検出工程（ステップＳ５））
搬送・成膜工程Ｓ３と併行して、異常放電検出工程Ｓ５において、プラズマ１４の異常放電１４ａが検出されたか否かが判定される。
【００５７】
（異常処理工程（ステップＳ６））
異常放電検出工程Ｓ５において異常放電１４ａが検出されると、搬送・成膜工程Ｓ３と併行して、異常処理工程Ｓ６が実施される。
異常処理工程Ｓ６においては、マーキング装置２８が、異常放電１４ａを検出したときに成膜位置Ｐに存在した基材１９の位置を、基材１９にマーキングする。
【００５８】
例えば、マーキング装置２８は、基材１９の端部（図１のＹ方向における端部）の表面又は裏面に、基材１９の位置をレーザ光２８ａで穿孔する。このマーキングは、異常放電１４ａを検出する毎に行われるので、どの異常放電１４ａを示すのかが分かり易いものが好ましい。例えば、異常放電１４ａを検出した順を示すマーキング（例えば、番号をマーキング）することが好ましい。このようにすると、そのマーキングがどの異常放電１４ａを示すのかを容易に知ることができる。
【００５９】
また、異常処理工程Ｓ６においては、異常放電１４ａを検出したときに成膜位置Ｐで薄膜が形成された基材１９の位置を示す異常位置情報２２ａと、異常放電１４ａを検出したときのプラズマ１４の状態を示す異常値情報２２ｂと、異常放電１４ａを検出したときのプラズマ１４の画像である異常プラズマ画像情報２２ｃと、異常放電１４ａを検出したときに成膜位置Ｐで薄膜が形成された基材１９の画像である異常基材面画像情報２２ｄとを対応付けて、記憶部２２に記憶し、表示部２３に表示する。
【００６０】
また、異常処理工程Ｓ６においては、異常放電１４ａを検出したときの時刻である異常放電検出時刻の前後の所定範囲の時間におけるプラズマ画像情報を、異常プラズマ画像情報２２ｃとして、記憶部２２から削除せずに残し、上記所定範囲以外の時間におけるプラズマ画像情報を削除する。例えば、異常放電検出時刻の前後の所定範囲の時間におけるプラズマ画像情報を、異常プラズマ画像情報２２ｃとして、記憶部２２の保存用エリアに移す。
【００６１】
例えば、時刻ｔ２において異常放電１４ａを検出したときは、異常放電検出時刻ｔ２の前の所定範囲の時間（ａ：ｔ１〜ｔ２）と、異常放電検出時刻ｔ２の後の所定範囲の時間（ｂ：ｔ２〜ｔ３）におけるプラズマ画像情報を、記憶部２２から削除せずに残し、ｔ１〜ｔ３以外の時間におけるプラズマ画像情報を削除する。ａとｂは、同じであってもよいし、異なってもよい。
【００６２】
また、図３に示すように、異常処理工程Ｓ６においては、異常放電１４ａを検出したときに薄膜が形成された基材１９の基材面における位置Ｂの画像情報、つまり、異常時基材面Ｂの画像情報の、前後の所定範囲（Ａ〜Ｃ）における基材面画像情報を、異常基材面画像情報２２ｄとして、記憶部２２から削除せずに残し、上記所定範囲（Ａ〜Ｃ）以外における基材面画像情報を削除する。例えば、異常時基材面の前後の所定範囲における基材面画像情報を、異常基材面画像情報２２ｄとして、記憶部２２の保存用エリアに移す。
【００６３】
例えば、時刻ｔ１２において異常放電１４ａを検出したときは、異常放電検出時刻ｔ１２の前の所定範囲の時間（ｃ：ｔ１１〜ｔ１２）に薄膜が形成された基材面（Ａ〜Ｂ）の画像情報と、異常放電検出時刻ｔ１２の後の所定範囲の時間（ｄ：ｔ１２〜ｔ１３）に薄膜が形成された基材面（Ｂ〜Ｃ）の画像情報、つまり、ｔ１１〜ｔ１３の時間に薄膜が形成された基材面（Ａ〜Ｃ）の画像情報を、記憶部２２から削除せずに残し、ｔ１１〜ｔ１３以外の時間に薄膜が形成された基材面の画像情報を削除する。ｃとｄは、同じであってもよいし、異なってもよい。
【００６４】
なお、基材モニタカメラ２７は、異常放電検出時刻ｔ１２において、異常時基材面（異常放電１４ａを検出したときに成膜位置Ｐで薄膜が形成された基材面）を撮像することができず、異常放電検出時刻ｔ１２よりもｔｄ時間遅いタイミングで、異常時基材面を撮像することになる。ｔｄは、基材１９が成膜位置Ｐから基材モニタカメラ２７の位置まで搬送されるときの時間である。したがって、図３に示すように、時刻ｔ１２において異常放電１４ａを検出したときは、（ｔ１１＋ｔｄ）〜（ｔ１３＋ｔｄ）時間に基材モニタカメラ２７で撮像された基材面画像情報を、記憶部２２から削除せずに残し、（ｔ１１＋ｔｄ）〜（ｔ１３＋ｔｄ）以外の時間に基材モニタカメラ２７で撮像された基材面画像情報を、削除することになる。
【００６５】
例えば、時刻ｔ２において第１の異常放電１４ａを検出すると、（ｔ１〜ｔ３）時間における第１のプラズマ画像を残し、（ｔ１〜ｔ３）以外の時間におけるプラズマ画像を削除する。また、時刻ｔ２における異常時基材面の前後の所定範囲の基材面の画像である第１の基材面画像を残し、前記所定範囲以外の基材面画像を削除する。ただし、ｔ１<ｔ２<ｔ３である。
【００６６】
次に、時刻ｔ１２において第２の異常放電１４ａを検出すると、（ｔ１１〜ｔ１３）時間における第２のプラズマ画像と、上記第１のプラズマ画像とを残し、他のプラズマ画像を削除する。また、時刻ｔ１２における異常時基材面の前後の所定範囲の基材面の画像である第２の基材面画像と、上記第１の基材面画像とを残し、他の基材面画像を削除する。ただし、ｔ１１<ｔ１２<ｔ１３である。
【００６７】
こうして、テープ状の基材１９の成膜処理を、所定時間又は所定長行った後、搬送・成膜工程Ｓ３を終了する。
【００６８】
本実施形態によれば、少なくとも次の効果を奏する。
（ａ）異常放電を検出したときの異常時プラズマ、又は、前記異常放電を検出したときに薄膜が形成された異常時基材面を撮像し記憶するよう構成したので、異常時プラズマ又は異常時基材面を、後で確認することができる。
（ｂ）異常放電が検出される前から異常放電が検出された後に亘って連続的に撮像を行って記憶し、撮像された画像がプラズマの場合は、異常放電が検出された時刻の前後の第１の時間におけるプラズマ画像を残すとともに、第１の時間以外の時間におけるプラズマ画像を削除し、撮像された画像が基材面の場合は、連続的に撮像した基材面画像のうち、異常時基材面の前後の第２の範囲の基材面画像を残すとともに、第２の範囲以外の基材面画像を削除するよう構成したので、異常放電の前後におけるプラズマ又は基材面を、後で確認することができる。
（ｃ）搬送されながら薄膜形成される基材を用い、異常放電が検出されたときに、異常時基材面の当該基材における位置を示す異常位置情報を記憶し、成膜位置とは別の第１の位置で、異常位置情報に基づき、異常時基材面を撮像するよう構成したので、プラズマに晒されることなく、異常時基材面を確実に撮像することができる。また、成膜室内に異常時基材面の撮像装置を設置できない場合においても、異常時基材面を撮像することができる。
（ｄ）搬送されながら薄膜形成される基材を用い、異常放電が検出されたときに、異常時基材面の当該基材における位置を示す異常位置情報を記憶し、異常位置情報に基づき、成膜位置とは別の第２の位置で、異常検出情報付加装置（マーキング装置）が、異常放電を検出したことを示す異常検出情報を基材上に付加するよう構成したので、異常検出情報付加装置がプラズマに晒されることがなく、また、異常時基材面の位置を容易に確認できる。
（ｅ）基材上に付加された異常検出情報に基づき、成膜位置とは別の第１の位置で、異常時基材面を撮像するよう構成したので、異常時基材面を確実かつ容易に撮像することができる。
（ｆ）異常時プラズマの状態を示す異常値情報と、異常時プラズマの画像とを、対応付けて記憶するよう構成したので、異常値と異常時プラズマの状態との間の関係を知ることができる。
（ｇ）成膜処理前のテープ状の基材を成膜室に供給するとともに、成膜処理後のテープ状の基材を成膜室から回収する基材収容室を、成膜室に隣接して設け、異常検出情報付加装置を基材収容室内に設けるよう構成したので、異常検出情報付加装置に成膜されることを抑制することができる。また、成膜室内に異常検出情報付加装置を設置できない場合においても、異常検出情報を基材上に付加することができる。
（ｈ）基材面撮像装置を基材収容室内に設けるよう構成したので、基材面撮像装置に成膜されることを抑制することができる。また、成膜室内に基材面撮像装置を設置できない場合においても、異常時基材面を撮像することができる。
（ｉ）異常時プラズマを撮像するプラズマ撮像装置と、異常時基材面を撮像する基材面撮像装置を設け、同一の異常放電に対して撮像された異常時プラズマの画像と異常時基材面の画像とを、対応付けて記憶するよう構成したので、異常時プラズマの状態と異常時基材面の状態との間の関係を知ることができる。
（ｊ）異常時プラズマの画像と異常時基材面の画像とを、対応付けて表示するよう構成したので、異常時プラズマの状態と異常時基材面の状態との間の関係を、目視により確認することができる。
【００６９】
なお、本発明は、上記実施形態に限定されるものではなく、その要旨を逸脱しない範囲で種々に変更が可能であることはいうまでもない。
【００７０】
上記実施形態では、異常放電検出部２１ａが、電源部２４から出力される電力信号の大きさや反射波の大きさに基づき、異常放電１４ａを検出するよう構成した。しかし、異常放電１４ａを起こしたプラズマをプラズマモニタカメラ２６で撮像し、撮像した異常放電１４ａの画像をプラズマモニタカメラ２６から受信することにより、異常放電検出部２１ａが、異常放電１４ａの発生を検出するよう構成することもできる。異常放電検出部２１ａは、例えば、正常なプラズマと異常放電時のプラズマとを比較することにより、異常放電１４ａの発生を検出できる。
【００７１】
あるいは、成膜室１１内に、異常放電１４ａによる発光を検知する光センサを設け、該光センサからの異常放電検知信号を、異常放電検出部２１ａで受信し、異常放電１４ａを検出するよう構成してもよい。あるいは、成膜室１１内に、異常放電１４ａによる電磁波を検知する電磁波センサを設け、該電磁波センサからの異常放電検知信号を、異常放電検出部２１ａで受信し、異常放電１４ａを検出するよう構成してもよい。
【００７２】
また、上記実施形態では、スパッタリング法を用いて薄膜を形成するよう成膜装置を構成したが、本発明はこれに限られるものではない。例えば、プラズマＣＶＤ法を用いて薄膜を形成するよう成膜装置を構成することもできる。プラズマＣＶＤ法を用いる場合は、成膜室１１に透過窓を設けるとともに、プラズマモニタカメラ２６を成膜室１１の外側に配置し、プラズマモニタカメラ２６が透過窓を介してプラズマを撮像するよう構成するのが好ましい。なお、上記実施形態において、成膜室１１に透過窓を設けるとともに、プラズマモニタカメラ２６を成膜室１１の外側に配置し、プラズマモニタカメラ２６が透過窓を介してプラズマを撮像するよう構成してもよい。
【００７３】
また、上記実施形態では、減圧下において成膜したが、成膜する膜種によっては、減圧下だけでなく大気圧下においても、本発明を適用可能である。大気圧下で成膜する場合は、マーキング装置２８として、液体のインクを吐出するインクジェット装置を使用してもよい。
【００７４】
また、上記実施形態では、異常放電が検出される前から異常放電が検出された後に亘って連続的に撮像を行って記憶し、異常放電が検出された時刻の前後の所定範囲におけるプラズマや基材面の画像を残すとともに、前記所定範囲以外の画像を削除するよう構成した。しかし、異常放電が検出された時刻の前又は後のいずれか一方の所定範囲におけるプラズマや基材面の画像を残すとともに、前記所定範囲以外の画像を削除するよう構成してもよい。
【００７５】
また、上記実施形態では、マーキング装置２８であるレーザ加工装置を基材収容室１５内に配置したが、基材収容室１５に透過窓を設けるとともに、レーザ加工装置を基材収容室１５の外側に配置し、レーザ加工装置が透過窓を介してレーザ光を照射するよう構成してもよい。また、成膜室１１に透過窓を設けるとともに、レーザ加工装置を成膜室１１の外側に配置し、レーザ加工装置が透過窓を介してレーザ光を照射するよう構成してもよい。
【００７６】
また、上記実施形態では、テープ状の樹脂フィルムを基材として用いたが、ウエハ等のシリコン基板やガラス基板等を、基材として用いることも可能である。
【００７７】
また、本発明は、本発明に係る処理を実行する装置や方法としてだけでなく、このような方法を実現するためのプログラムや当該プログラムを記録する記録媒体などとして把握することができる。
【符号の説明】
【００７８】
１０…成膜装置、１１…成膜室、１２…電極（カソード）、１３…仕切り壁、１４…プラズマ、１４ａ…異常放電、１５…基材収容室、１６…ローラ、１６ａ…供給用ローラ、１６ｂ…補助ローラ、１６ｃ…処理用ローラ（アノード）、１６ｄ…補助ローラ、１６ｅ…回収用ローラ、１７…ガス導入口、１８…排気口、１９…基材、２１…制御部、２１ａ…異常放電検出部、２２…記憶部、２２ａ…異常位置記憶部、２２ｂ…異常値記憶部、２２ｃ…異常プラズマ画像記憶部、２２ｄ…異常基材面画像記憶部、２３…表示部（モニタ）、２４…電源部、２５ａ…電力供給線、２５ｂ…電力供給線、２６…プラズマモニタカメラ（撮像装置）、２７…基材モニタカメラ（撮像装置）、２８…マーキング装置（異常検出情報付加装置）、２８ａ…レーザ光。
【図１】
2016046886.tif 000003
【図２】
2016046886.tif 000004
【図３】
2016046886.tif 000005
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
プラズマを用い成膜位置において基材上に薄膜を形成する成膜室と、
前記プラズマの異常放電を検出する異常放電検出部と、
前記異常放電が検出されたときのプラズマである異常時プラズマ、又は、前記異常放電が検出されたときに薄膜が形成された基材面である異常時基材面を撮像する撮像装置と、
前記撮像装置によって撮像された画像を記憶する記憶部と、
を備え、
前記基材は、搬送されながら薄膜形成されるものであり、
前記記憶部は、前記異常放電が検出されたときに、前記異常時基材面の当該基材における位置を示す異常位置情報を記憶し、
前記撮像装置は、前記異常時基材面を撮像する基材面撮像装置を含み、
前記基材面撮像装置は、前記成膜位置とは別の第１の位置で、前記異常位置情報に基づき、前記異常時基材面を撮像することを特徴とする成膜装置。
【請求項２】
請求項１に記載の成膜装置であって、
前記撮像装置は、前記異常放電が検出される前から前記異常放電が検出された後に亘って連続的に撮像し、
前記記憶部は、前記撮像された画像がプラズマの場合は、前記連続的に撮像した画像のうち、前記異常放電が検出された時刻の前後の第１の時間におけるプラズマ画像を残すとともに、前記第１の時間以外の時間におけるプラズマ画像を削除し、前記撮像された画像が基材面の場合は、前記連続的に撮像した基材面画像のうち、前記異常時基材面の前後の第２の範囲の基材面画像を残すとともに、前記第２の範囲以外の基材面画像を削除することを特徴とする成膜装置。
【請求項３】
プラズマを用い成膜位置において基材上に薄膜を形成する成膜室と、
前記プラズマの異常放電を検出する異常放電検出部と、
前記異常放電が検出されたときのプラズマである異常時プラズマ、又は、前記異常放電が検出されたときに薄膜が形成された基材面である異常時基材面を撮像する撮像装置と、
前記撮像装置によって撮像された画像を記憶する記憶部と、
を備え、
前記基材は、搬送されながら薄膜形成されるものであり、
前記記憶部は、前記異常放電が検出されたときに、前記異常時基材面の当該基材における位置を示す異常位置情報を記憶し、
前記異常位置情報に基づき、前記成膜位置とは別の第２の位置で、前記異常放電を検出したことを示す異常検出情報を前記基材上に付加する異常検出情報付加装置を備えることを特徴とする成膜装置。
【請求項４】
請求項３に記載の成膜装置であって、
前記撮像装置は、前記異常時基材面を撮像する基材面撮像装置を含み、
前記基材面撮像装置は、前記基材上に付加された前記異常検出情報に基づき、前記成膜位置とは別の第１の位置で、前記異常時基材面を撮像することを特徴とする成膜装置。
【請求項５】
請求項１に記載の成膜装置であって、
前記撮像装置は、前記異常時プラズマを撮像するプラズマ撮像装置を含み、
前記異常放電検出部は、前記異常時プラズマの状態を示す異常値情報を生成し、
前記記憶部は、前記異常値情報と、前記異常時プラズマの画像とを、対応付けて記憶することを特徴とする成膜装置。
【請求項６】
請求項３に記載の成膜装置であって、
成膜処理前のテープ状の基材を前記成膜室に供給するとともに、成膜処理後のテープ状の基材を前記成膜室から回収する基材収容室が、前記成膜室に隣接して設けられ、
前記異常検出情報付加装置は、前記基材収容室内に設けられることを特徴とする成膜装置。
【請求項７】
請求項６に記載の成膜装置であって、
前記撮像装置は、前記異常時基材面を撮像する基材面撮像装置を含み、前記基材面撮像装置は、前記基材収容室内に設けられることを特徴とする成膜装置。
【請求項８】
請求項１ないし請求項７のいずれかに記載の成膜装置であって、
前記撮像装置は、前記異常時プラズマを撮像するプラズマ撮像装置と、前記異常時基材面を撮像する基材面撮像装置の両方を含み、
前記記憶部は、同一の異常放電に対して撮像された前記異常時プラズマの画像と前記異常時基材面の画像とを、対応付けて記憶することを特徴とする成膜装置。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
プラズマを用い成膜位置において基材上に薄膜を形成する成膜室と、
前記プラズマの異常放電を検出する異常放電検出部と、
前記異常放電が検出されたときに薄膜が形成された基材面である異常時基材面を撮像する撮像装置である基材面撮像装置と、
前記撮像装置によって撮像された画像を記憶する記憶部と、
を備え、
前記基材は、搬送されながら薄膜形成されるものであり、
前記記憶部は、前記異常放電が検出されたときに、前記異常時基材面の当該基材における位置を示す異常位置情報を記憶し、
前記基材面撮像装置は、前記成膜位置とは別の第１の位置で、前記異常位置情報に基づき、前記異常時基材面を撮像することを特徴とする成膜装置。
【請求項２】
請求項１に記載の成膜装置であって、
前記異常放電が検出されたときのプラズマである異常時プラズマを撮像する撮像装置であるプラズマ撮像装置を更に備え、
前記基材面撮像装置及び前記プラズマ撮像装置は、前記異常放電が検出される前から前記異常放電が検出された後に亘って連続的に撮像し、
前記記憶部は、前記プラズマ撮像装置で撮像された画像の場合は、前記連続的に撮像した画像のうち、前記異常放電が検出された時刻の前後の第１の時間における画像を残すとともに、前記第１の時間以外の時間における画像を削除し、前記基材面撮像装置で撮像された画像の場合は、前記連続的に撮像した画像のうち、前記異常時基材面の前後の第２の範囲の画像を残すとともに、前記第２の範囲以外の画像を削除することを特徴とする成膜装置。
【請求項３】
プラズマを用い成膜位置において基材上に薄膜を形成する成膜室と、
前記プラズマの異常放電を検出する異常放電検出部と、
前記異常放電が検出されたときのプラズマである異常時プラズマ、又は、前記異常放電が検出されたときに薄膜が形成された基材面である異常時基材面を撮像する撮像装置と、
前記撮像装置によって撮像された画像を記憶する記憶部と、
を備え、
前記基材は、搬送されながら薄膜形成されるものであり、
前記記憶部は、前記異常放電が検出されたときに、前記異常時基材面の当該基材における位置を示す異常位置情報を記憶し、
前記異常位置情報に基づき、前記成膜位置とは別の第２の位置で、前記異常放電を検出したことを示す異常検出情報を前記基材上に付加する異常検出情報付加装置を備えることを特徴とする成膜装置。
【請求項４】
請求項３に記載の成膜装置であって、
前記撮像装置は、前記異常時基材面を撮像する基材面撮像装置を含み、
前記基材面撮像装置は、前記基材上に付加された前記異常検出情報に基づき、前記成膜位置とは別の第１の位置で、前記異常時基材面を撮像することを特徴とする成膜装置。
【請求項５】
請求項２に記載の成膜装置であって、
前記異常放電検出部は、前記異常時プラズマの状態を示す異常値情報を生成し、
前記記憶部は、前記異常値情報と、前記異常時プラズマの画像とを、対応付けて記憶することを特徴とする成膜装置。
【請求項６】
請求項３に記載の成膜装置であって、
成膜処理前のテープ状の基材を前記成膜室に供給するとともに、成膜処理後のテープ状の基材を前記成膜室から回収する基材収容室が、前記成膜室に隣接して設けられ、
前記異常検出情報付加装置は、前記基材収容室内に設けられることを特徴とする成膜装置。
【請求項７】
請求項６に記載の成膜装置であって、
前記撮像装置は、前記異常時基材面を撮像する基材面撮像装置を含み、前記基材面撮像装置は、前記基材収容室内に設けられることを特徴とする成膜装置。
【請求項８】
請求項１ないし請求項７のいずれかに記載の成膜装置であって、
前記撮像装置は、前記異常時プラズマを撮像するプラズマ撮像装置と、前記異常時基材面を撮像する基材面撮像装置の両方を含み、
前記記憶部は、同一の異常放電に対して撮像された前記異常時プラズマの画像と前記異常時基材面の画像とを、対応付けて記憶することを特徴とする成膜装置。
【国際調査報告】
2016046886.tif 000006
2016046886.tif 000007
2016046886.tif 000008
2016046886.tif 000009